(57)【特許請求の範囲】
【請求項１】
第１〜Ｎ（Ｎは任意の自然数）の端末装置に信号を送信する通信装置であって、
パイロット信号に対する空きリソースの相対的な距離を表す相対位置情報と前記第１〜Ｎの端末装置にそれぞれ対応する第１〜第Ｎの伝搬路情報に基づき、リソースを割り当てる割り当て手段と、
前記割り当て手段で決定されたリソース割り当てに基づき、前記パイロット信号と送信データを多重し、送信信号を生成する多重信号生成手段と、
を備え、
前記割り当て手段は、それぞれドップラー周波数と遅延分散から成る前記第１〜第Ｎの伝搬路情報から、それぞれ第１〜第Ｎの時間変動情報と第１〜第Ｎの周波数変動情報を求め、当該第１〜第Ｎの時間変動情報と第１〜第Ｎの周波数変動情報に基づき、前記パイロット信号の多重位置に時間軸上で近いリソースを、時間軸上の伝搬変動の大きい端末装置に優先して割り当て、前記パイロット信号の多重位置に周波数軸上で近いリソースを、周波数軸上の伝搬変動の大きい端末装置に優先して割り当てることを特徴とする無線通信装置。
【請求項２】
第１〜Ｎ（Ｎは任意の自然数）の端末装置に信号を送信する通信装置であって、
パイロット信号に対する空きリソースの相対的な距離を表す相対位置情報と前記第１〜Ｎの端末装置にそれぞれ対応する第１〜第Ｎの伝搬路情報に基づき、リソースを割り当てる割り当て手段と、
前記割り当て手段で決定されたリソース割り当てに基づき、前記パイロット信号と送信データを多重し、送信信号を生成する多重信号生成手段と、
を備え、
前記割り当て手段は、ドップラー周波数と遅延分散から成る前記第１〜第Ｎの伝搬路情報から、第１〜第Ｎの時間変動情報又は第１〜第Ｎの周波数変動情報を求め、当該第１〜第Ｎの時間変動情報に基づき、前記パイロット信号の多重位置に時間軸上で近いリソースを、時間軸上の伝搬変動の大きい端末装置に優先して割り当て、又は前記第１〜第Ｎの周波数変動情報に基づき、前記パイロット信号の多重位置に周波数軸上で近いリソースを、周波数軸上の伝搬変動の大きい端末装置に優先して割り当てることを特徴とする無線通信装置。
【請求項３】
前記割り当て手段が、
前記第１〜Ｎの伝搬路情報に基づき、時間軸上の伝搬路変動を表す第１〜Ｎの時間変動情報を抽出する時間変動抽出手段と、
前記第１〜Ｎの時間変動情報を変動量の大きさに基づき並べ替え、ランキング情報を生成するランキング手段と、
前記相対位置情報と前記ランキング情報に基づき、リソースの割り当て位置を決定する割り当て位置決定手段と、
を有することを特徴とする請求項１又は２に記載の無線通信装置。
【請求項４】
前記割り当て手段が、
前記第１〜Ｎの伝搬路情報に基づき、時間軸上の伝搬路変動を表す第１〜Ｎの時間変動情報を抽出する時間変動抽出手段と、
前記第１〜Ｎの時間変動情報を変動量の大きさに基づきＭ（Ｍは任意の自然数）グループに分類し、グルーピング情報を生成するグループ分類手段と、
前記相対位置情報と前記グルーピング情報に基づき、リソースの割り当て位置を決定する割り当て位置決定手段と、
を有することを特徴とする請求項１又は２に記載の無線通信装置。
【請求項５】
前記割り当て手段が、
前記第１〜Ｎの伝搬路情報に基づき、時間軸上の伝搬路変動を表す第１〜Ｎの時間変動情報と周波数軸上の伝搬路変動を表す第１〜Ｎの周波数変動情報を抽出する時間・周波数変動抽出手段と、
前記第１〜Ｎの時間変動情報を変動量の大きさに基づき並べ替え時間変動ランキング情報を生成する第一のランキング手段と、
前記第１〜Ｎの周波数変動情報を変動量の大きさに基づき並べ替え周波数変動ランキング情報を生成する第二のランキング手段と、
前記相対位置情報と前記時間変動ランキング情報と前記周波数変動ランキング情報に基づき、リソースの割り当て位置を決定する割り当て位置決定手段と、
を有することを特徴とする請求項１又は２に記載の無線通信装置。
【請求項６】
前記割り当て手段が、
前記第１〜Ｎの伝搬路情報に基づき、時間軸上の伝搬路変動を表す第１〜Ｎの時間変動情報と周波数軸上の伝搬路変動を表す第１〜Ｎの周波数変動情報を抽出する時間・周波数変動抽出手段と、
前記第１〜Ｎの時間変動情報を変動量の大きさに基づきＭ（Ｍは任意の自然数）グループに分類し、時間変動グルーピング情報を生成する第一のグループ分類手段と、
前記第１〜Ｎの周波数変動情報を変動量の大きさに基づきＫ（Ｋは任意の自然数）グループに分類し、周波数変動グルーピング情報を生成する第二のグループ分類手段と、
前記相対位置情報と前記時間変動グルーピング情報と前記周波数変動グルーピング情報に基づき、リソースの割り当て位置を決定する割り当て位置決定手段と、
を有することを特徴とする請求項１又は２に記載の無線通信装置。
【請求項７】
第１〜Ｎ（Ｎは任意の自然数）の端末装置に信号を送信する通信装置における、前記第１〜Ｎの端末装置それぞれに対応する第１〜Ｎの伝搬路情報に基づくリソース割り当て方法であって、
パイロット信号に対する空きリソースの相対的な距離を表す相対位置情報と前記第１〜Ｎの伝搬路情報に基づき、リソースを割り当てる第一の処理と、
前記リソース割り当て処理で決定されたリソース割り当てに基づき、前記パイロット信号と送信データを多重し、送信信号を生成する第二の処理と、
を含み、
前記第一の処理において、それぞれドップラー周波数と遅延分散から成る前記第１〜第Ｎの伝搬路情報から、それぞれ第１〜第Ｎの時間変動情報と第１〜第Ｎの周波数変動情報を求め、当該第１〜第Ｎの時間変動情報と第１〜第Ｎの周波数変動情報に基づき、前記パイロット信号の多重位置に時間軸上で近いリソースを、時間軸上の伝搬変動の大きい端末装置に優先して割り当て、前記パイロット信号の多重位置に周波数軸上で近いリソースを、周波数軸上の伝搬変動の大きい端末装置に優先して割り当てることを特徴とする通信システムのリソース割り当て方法。
【請求項８】
第１〜Ｎ（Ｎは任意の自然数）の端末装置に信号を送信する通信装置における、前記第１〜Ｎの端末装置それぞれに対応する第１〜Ｎの伝搬路情報に基づくリソース割り当て方法であって、
パイロット信号に対する空きリソースの相対的な距離を表す相対位置情報と前記第１〜Ｎの伝搬路情報に基づき、リソースを割り当てる第一の処理と、
前記リソース割り当て処理で決定されたリソース割り当てに基づき、前記パイロット信号と送信データを多重し、送信信号を生成する第二の処理と、
を含み、
前記第一の処理において、ドップラー周波数と遅延分散から成る前記第１〜第Ｎの伝搬路情報から、第１〜第Ｎの時間変動情報又は第１〜第Ｎの周波数変動情報を求め、当該第１〜第Ｎの時間変動情報に基づき、前記パイロット信号の多重位置に時間軸上で近いリソースを、時間軸上の伝搬変動の大きい端末装置に優先して割り当て、又は前記第１〜第Ｎの周波数変動情報に基づき、前記パイロット信号の多重位置に周波数軸上で近いリソースを、周波数軸上の伝搬変動の大きい端末装置に優先して割り当てることを特徴とする通信システムのリソース割り当て方法。
【請求項９】
前記第一の処理において、
前記第１〜Ｎの伝搬路情報に基づき、時間軸上の伝搬路変動を表す第１〜Ｎの時間変動情報を抽出する処理と、
前記第１〜Ｎの時間変動情報を変動量の大きさに基づき並べ替え、ランキング情報を生成する処理と、
前記相対位置情報と前記ランキング情報に基づき、リソースの割り当て位置を決定する処理と、
を含むことを特徴とする請求項７又は８に記載の通信システムのリソース割り当て方法。
【請求項１０】
前記第一の処理において、
前記第１〜Ｎの伝搬路情報に基づき、時間軸上の伝搬路変動を表す第１〜Ｎの時間変動情報を抽出する処理と、
前記第１〜Ｎの時間変動情報を変動量の大きさに基づきＭ（Ｍは任意の自然数）グループに分類し、グルーピング情報を生成する処理と、
前記相対位置情報と前記グルーピング情報に基づき、リソースの割り当て位置を決定する処理と、
を含むことを特徴とする請求項７又は８に記載の通信システムのリソース割り当て方法。
【請求項１１】
前記第一の処理において、
前記第１〜Ｎの伝搬路情報に基づき、時間軸上の伝搬路変動を表す第１〜Ｎの時間変動情報と周波数軸上の伝搬路変動を表す第１〜Ｎの周波数変動情報を抽出する処理と、
前記第１〜Ｎの時間変動情報を変動量の大きさに基づき並べ替え時間変動ランキング情報を生成する処理と、
前記第１〜Ｎの周波数変動情報を変動量の大きさに基づき並べ替え周波数変動ランキング情報を生成する処理と、
前記相対位置情報と前記時間変動ランキング情報と前記周波数変動ランキング情報に基づき、リソースの割り当て位置を決定する処理と、
を含むことを特徴とする請求項７又は８に記載の通信システムのリソース割り当て方法。
【請求項１２】
前記第一の処理において、
前記第１〜Ｎの伝搬路情報に基づき、時間軸上の伝搬路変動を表す第１〜Ｎの時間変動情報と周波数軸上の伝搬路変動を表す第１〜Ｎの周波数変動情報を抽出する処理と、
前記第１〜Ｎの時間変動情報を変動量の大きさに基づきＭ（Ｍは任意の自然数）グループに分類し、時間変動グルーピング情報を生成する処理と、
前記第１〜Ｎの周波数変動情報を変動量の大きさに基づきＫ（Ｋは任意の自然数）グループに分類し、周波数変動グルーピング情報を生成する処理と、
前記相対位置情報と前記時間変動グルーピング情報と前記周波数変動グルーピング情報に基づき、リソースの割り当て位置を決定する処理と、
を含むことを特徴とする請求項７又は８に記載の通信システムのリソース割り当て方法。
【発明の詳細な説明】
【技術分野】
【０００１】
本発明は、複数の端末装置に信号を送信する通信装置において、端末装置それぞれに対応する伝搬路情報に基づいて適応的にリソースを割り当てる通信システムのリソース割り当て方法に関する。
【背景技術】
【０００２】
従来、無線通信システムにおいて、伝搬路を推定するために既知の信号であるパイロット信号が用いられる。複数の端末で無線リソースを共有する通信において、複数端末への送信データと共有するパイロット信号を多重する方法として、マルチユーザ多重された送信データに一定間隔でパイロット信号を多重する方法が知られている。以下、標準化団体３ＧＰＰの技術報告書ＴＲ２５．８９２記載の信号多重法について図１を用いて説明する。【０００３】
リソース割り当て部８０２は、各端末装置への無線リソース割り当てを決定し、リソース割り当て信号SRAを出力する。多重信号生成部１０３は、リソース割り当て信号SRAを入力として、パイロット信号と送信データを多重し、送信信号STXを出力する。【０００４】
図４は、無線伝送方式としてＯＦＤＭ(Orthogonal Frequency Division Multiplexing)を用いる場合の多重信号生成部１０３の構成例である。ＯＦＤＭは、耐マルチパス特性に優れた無線伝送方式の一つで、全帯域を複数のサブキャリアに分割し、ガードインターバルを挿入し、受信側においてガードインターバルを削除することによりマルチパスによるシンボル間干渉を除去するものである。【０００５】
パイロット生成部２０１はパイロット信号SPIを生成し出力する。データ生成部２０２〜２０４は、それぞれ、端末１〜Ｎへの送信データSTXD1〜STXDNを出力する。シンボルマッピング部２０５〜２０７は、それぞれ、送信データSTXD1〜STXDNを入力として、データを送信シンボルへマッピングし、送信シンボル信号STXS1〜STXSNを出力する。【０００６】
パイロット多重部２０８は、パイロット信号SPIを入力として、パイロット多重信号SMP1〜SMPLを出力する。データ多重部２０９は、送信シンボル信号STXS1〜STXSNとリソース割り当て信号SRAを入力として、リソース割り当て信号SRAに従い送信シンボル信号STXS1〜STXSNを多重し、データ多重信号SMD1〜SMDLを出力する。パイロット多重信号SMP1〜SMPLとデータ多重信号SMD1〜SMDLはそれぞれ加算され、逆フーリエ変換部入力信号SIFTI1〜SIFTILが生成される。【０００７】
逆フーリエ変換部２１０は、逆フーリエ変換部入力信号SIFTI1〜SIFTILを入力として、逆フーリエ変換を行い、逆フーリエ変換部出力信号SIFTOを出力する。ガードインターバル挿入部２１１は、逆フーリエ変換部出力信号SIFTOを入力として、ガードインターバルを挿入し、送信信号STXを出力する。【０００８】
以上により、例えば図２に示すように、時間軸、周波数軸上で、一定間隔にパイロット信号が多重された送信信号が生成される。パイロット信号を用いて受信側では伝搬路推定を行い、パイロット信号が多重されていない部分の伝搬路推定には、パイロット信号が挿入されている部分の伝搬路推定値２点による線形補間等が用いられる。【０００９】
また、伝搬路変動に応じて、送信側において無線リソースの拡散方向（時間軸、周波数軸）を適応的に選択する無線送信方法がある（例えば、特許文献１参照）。
【特許文献１】特開２００３−３０４２２０号公報
【発明の開示】
【発明が解決しようとする課題】
【００１０】
しかしながら、移動速度の速い端末及びマルチパス干渉の厳しい環境にある端末では、それぞれ時間軸上または周波数軸上の伝搬路変動が激しい。従って、従来のリソース割り当て法では、これらの端末に時間軸上または周波数軸上でパイロット信号多重位置と距離の離れた無線リソースがデータ通信用に割り当てられた場合、受信側における伝搬路推定精度が劣化するという問題がある。パイロット信号の挿入間隔を小さくすることにより精度を向上することは可能であるが、データの伝送効率が低下するという問題が生じる。【００１１】
そこで本発明は、データ伝送効率を低下することなく伝搬路推定精度を向上する、伝搬路変動に適応した通信システムのリソース割り当て方法を提供することを目的とする。
【課題を解決するための手段】
【００１２】
上述の課題を解決するため、本発明による無線通信装置は、第１〜Ｎ（Ｎは任意の自然数）の端末装置に信号を送信する通信装置であって、パイロット信号に対する空きリソースの相対的な距離を表す相対位置情報と前記第１〜Ｎの端末装置にそれぞれ対応する第１〜第Ｎの伝搬路情報に基づき、リソースを割り当てる割り当て手段と、前記割り当て手段で決定されたリソース割り当てに基づき、前記パイロット信号と送信データを多重し、送信信号を生成する多重信号生成手段と、を備え、前記割り当て手段は、それぞれドップラー周波数と遅延分散から成る前記第１〜第Ｎの伝搬路情報から、それぞれ第１〜第Ｎの時間変動情報と第１〜第Ｎの周波数変動情報を求め、当該第１〜第Ｎの時間変動情報と第１〜第Ｎの周波数変動情報に基づき、前記パイロット信号の多重位置に時間軸上で近いリソースを、時間軸上の伝搬変動の大きい端末装置に優先して割り当て、前記パイロット信号の多重位置に周波数軸上で近いリソースを、周波数軸上の伝搬変動の大きい端末装置に優先して割り当てることを特徴とする。
また、本発明による無線通信装置は、第１〜Ｎ（Ｎは任意の自然数）の端末装置に信号を送信する通信装置であって、パイロット信号に対する空きリソースの相対的な距離を表す相対位置情報と前記第１〜Ｎの端末装置にそれぞれ対応する第１〜第Ｎの伝搬路情報に基づき、リソースを割り当てる割り当て手段と、前記割り当て手段で決定されたリソース割り当てに基づき、前記パイロット信号と送信データを多重し、送信信号を生成する多重信号生成手段と、を備え、前記割り当て手段は、ドップラー周波数と遅延分散から成る前記第１〜第Ｎの伝搬路情報から、第１〜第Ｎの時間変動情報又は第１〜第Ｎの周波数変動情報を求め、当該第１〜第Ｎの時間変動情報に基づき、前記パイロット信号の多重位置に時間軸上で近いリソースを、時間軸上の伝搬変動の大きい端末装置に優先して割り当て、又は前記第１〜第Ｎの周波数変動情報に基づき、前記パイロット信号の多重位置に周波数軸上で近いリソースを、周波数軸上の伝搬変動の大きい端末装置に優先して割り当てることを特徴とする。
【００１３】
以上の構成によって、データ伝送効率を低下することなく、伝搬路推定精度を向上することが可能となる。
【発明の効果】
【００１４】
本発明は、以下に述べるような構成及び動作とすることで、データ伝送効率を低下することなく伝搬路推定精度を向上するという効果が得られる。
【図面の簡単な説明】
【００１５】
【図１】従来例における無線通信装置の構成図である。
【図２】従来例における問題点を説明するための図である。
【図３】本発明の最良の実施形態における無線通信装置の構成図である。
【図４】第一及び第二の実施例、従来例における多重信号生成部の構成図である。
【図５】第一の実施例におけるリソース選択部の構成図である。
【図６】第一及び第二の実施例における信号フォーマットを説明するための図である。
【図７】第一の実施例におけるリソース割り当てを説明するための構成図である。
【図８】第二の実施例におけるリソース選択部の構成図である。
【図９】第二の実施例におけるリソース割り当てを説明するための構成図である。
【符号の説明】
【００１６】
１０１，８０１  無線通信装置
１０２，８０２  リソース割り当て部
１０３  多重信号生成部
１０４  リソース選択部
１０５  リソース位置生成部
２０１  パイロット生成部
２０２，２０３，２０４  データ生成部
２０５，２０６，２０７  シンボルマッピング部
２０８  パイロット多重部
２０９  データ多重部
２１０  逆フーリエ変換部
２１１  ガードインターバル挿入部
３０１  情報抽出部
３０２，３０３  ランキング部
３０４，６０３  割り当て位置決定部
６０１，６０２  グループ選別部
【発明を実施するための最良の形態】
【００１７】
次に、本発明の最良の形態について図面を参照して説明する。【００１８】
図３は、本発明を実施するための最良の形態における無線通信装置のブロック図である。リソース割り当て部１０２は、伝搬路情報1SCI1〜伝搬路情報N SCINを入力として、第１〜Ｎの端末へのリソース割り当てを決定し、リソース割り当て情報SRAを出力する。多重信号生成部１０３は、リソース割り当て情報SRAを入力として、送信信号STXを出力する。尚、リソース割り当て部１０２は、伝搬路情報1SCI1〜伝搬路情報N SCINと相対位置情報SRPを入力として、第１〜Ｎの端末へのリソース割り当てを決定し、リソース割り当て情報SRAを出力するリソース選択部１０４と、リソース割り当て情報SRAを入力として、パイロット信号多重位置に対する空きリソースの相対的な位置を計算し、相対位置情報SRPを出力するリソース位置生成部１０５とから構成される。【００１９】
以上の構成で、リソース選択部１０４において、パイロット信号の多重位置に近いリソースを、伝搬変動の大きい端末装置に優先して割り当てることにより、データ伝送効率を低下することなく、伝搬路推定精度を向上することが可能となる。
【実施例１】
【００２０】
図４及び図５は、それぞれ、本発明による第一の実施例における多重信号生成部１０３及びリソース選択部１０４の構成を示すブロック図である。尚、図４は、従来技術の説明でも挙げた、伝送方式としてＯＦＤＭを用いた場合の例である。【００２１】
図５において、情報抽出部３０１は、伝搬路情報1SCI1〜伝搬路情報N SCINを入力として、第１〜Ｎの端末それぞれの伝搬路における時間軸上の変動量及び周波数軸上の変動量を抽出し、それぞれ、時間変動情報1STD1〜時間変動情報N STDN、周波数変動情報1SFD1〜周波数変動情報N SFDNとして出力する。ランキング部３０２及び３０３は、それぞれ、時間変動情報1STD1〜時間変動情報N STDN、周波数変動情報1SFD1〜周波数変動情報N SFDNを入力として、変動量の大きさに従い並べ替えを行い、第１〜Ｎの端末の時間変動及び周波数変動のランキングを、それぞれ、時間ランキング情報STR、周波数ランキング情報SFRとして出力する。割り当て位置決定部３０４は、時間ランキング情報STR、周波数ランキング情報SFR及び相対位置情報SRPを入力として、第１〜Ｎの端末へのリソース割り当てを決定し、リソース割り当て情報SRAを出力する。【００２２】
例えば、図６のような信号フォーマットを使用し、フレームＡの無線リソースを割り当てられた端末はパイロット信号Ａを用いて、伝搬路推定を行う場合を考える。【００２３】
図６において、領域Ａの各リソースの相対位置情報SRAを
SRA=（パイロット信号Ａに対する時間軸上の相対位置,周波数軸上の相対位置）
と定義する。今、Ｎ＝５であり、領域Ａの無線リソースを５つの端末へ割り当てるものとする。【００２４】
伝搬路情報1SCI1〜伝搬路情報5 SCI5はドップラー周波数fdと遅延分散τから(fd, τ)と構成され、
SCI1 = (1Hz, 1μsec)
SCI2 = (500Hz, 0.1μsec)
SCI3 = (1kHz, 5μsec)
SCI4 = (10Hz, 0.2μsec)
SCI5 = (200Hz, 3μsec)
であるとする。【００２５】
時間変動として、伝搬路が一定とみなせる時間であるコヒーレント時間tcoh(=1/(2fd))、周波数変動として、伝搬路が一定とみなせる帯域幅であるコヒーレント帯域Bcoh(=1/(2πτ))を用いた場合、時間変動情報1STD1〜時間変動情報N STDN、周波数変動情報1SFD1〜周波数変動情報N SFDNは以下のようになる。【００２６】
STD1 = 500msec, SFD1 =160kHz
STD2 = 1msec, SFD2 =1600kHz
STD3 = 0.5msec, SFD3 =32kHz
STD4 = 50msec, SFD4 =800kHz
STD5 = 2.5msec, SFD5 =53kHz【００２７】
上記において、数値が小さいほど伝搬路の変動量は大きくなる。変動量に基づきランキングを行い、変動量の大きい順に端末番号で並べることにより、時間ランキング情報STR、周波数ランキング情報SFRが以下のように得られる。【００２８】
STR = (3, 2, 5, 4, 1)
SFR = (3, 5, 1, 4, 2)【００２９】
この情報を用いて、割り当て位置決定部３０４においてリソースの割り当てが決定される。時間変動、周波数変動とも大きい端末３には、時間軸上、周波数軸上の両方で相対位置が小さいリソースが、時間変動のみが大きい端末２には、時間軸上でのみ相対位置が小さいリソースが、周波数変動のみが大きい端末５には、周波数軸上でのみ相対位置が小さいリソースが割り当てられる。このとき、リソース割り当ては、例えば図７のようになる。【００３０】
以上により、伝搬路変動の大きい端末における伝搬路推定精度の向上が実現できる。
【実施例２】
【００３１】
図８は、本発明による第二の実施例におけるリソース選択部１０４を示す図である。尚、多重信号生成部１０３については、第一の実施例と同様、図４の構成とする。【００３２】
図８において、情報抽出部３０１は、伝搬路情報1SCI1〜伝搬路情報N SCINを入力として、第１〜Ｎの端末それぞれの伝搬路における時間軸上の変動量及び周波数軸上の変動量を抽出し、それぞれ、時間変動情報1STD1〜時間変動情報N STDN、周波数変動情報1SFD1〜周波数変動情報N SFDNとして出力する。【００３３】
グループ選別部６０１及び６０２は、それぞれ、時間変動情報1STD1〜時間変動情報N STDN、周波数変動情報1SFD1〜周波数変動情報N SFDNを入力として、閾値を用いて第１〜Ｎの端末を、時間変動情報1STD1〜時間変動情報N STDNに従いＭ個のグループに、周波数変動情報1SFD1〜周波数変動情報N SFDNに従いＫ個のグループに選別し、それぞれ、時間グループ情報STGR、周波数グループ情報SFGRとして出力する。【００３４】
割り当て位置決定部６０３は、時間グループ情報STGR、周波数グループ情報SFGR及び相対位置情報SRPを入力として、第１〜Ｎの端末へのリソース割り当てを決定し、リソース割り当て情報SRAを出力する。【００３５】
例えば、第一の実施例と同様、図６のような信号フォーマットを使用し、フレームＡの無線リソースを割り当てられた端末はパイロット信号Ａを用いて、伝搬路推定を行う場合を考える。【００３６】
今、Ｎ＝５であり、領域Ａの無線リソースを５つの端末へ割り当てるものとする。伝搬路情報1SCI1〜伝搬路情報5 SCI5はドップラー周波数fdと遅延分散τから(fd, τ)と構成され、
SCI1 = (1kHz, 5μsec)
SCI2 = (50Hz, 1μsec)
SCI3 = (10Hz, 2.5μsec)
SCI4 = (2kHz, 0.5μsec)
SCI5 = (5Hz, 0.25μsec)
であるとする。【００３７】
時間変動として、伝搬路が一定とみなせる時間であるコヒーレント時間tcoh(=1/(2fd))、周波数変動として、伝搬路が一定とみなせる帯域幅であるコヒーレント帯域Bcoh(=1/(2πτ))を用いた場合、時間変動情報1STD1〜時間変動情報N STDN、周波数変動情報1SFD1〜周波数変動情報N SFDNは以下のようになる。【００３８】
STD1 = 0.5msec, SFD1 =32kHz
STD2 = 10msec, SFD2 =160kHz
STD3 = 50msec, SFD3 =64kHz
STD4 = 0.25msec, SFD4 =320kHz
STD5 = 100msec, SFD5 =640kHz【００３９】
上記において、数値が小さいほど伝搬路の変動量は大きくなる。ここで、Ｍ＝２、Ｋ＝２、即ち、時間変動により２つのグループに分け、周波数変動により２つのグループに分けるものとする。【００４０】
時間変動情報が1msec未満の端末を時間グループ１、1msec以上の端末を時間グループ２とし、周波数変動情報が100kＨｚ未満の端末を周波数グループ１、100kHz以上の端末を周波数グループ２とし、端末番号順にグループ番号を並べることにより、時間グループ情報STGR、周波数グループ情報SFGRが以下のように得られる。【００４１】
STGR = (1, 2, 2, 1, 2)
SFGR = (1, 2, 1, 2, 2)【００４２】
この情報を用いて、割り当て位置決定部６０３においてリソースの割り当てが決定される。時間変動、周波数変動とも大きい端末１には、時間軸上、周波数軸上の両方で相対位置が小さいリソースが、時間変動のみが大きい端末４には、時間軸上でのみ相対位置が小さいリソースが、周波数変動のみが大きい端末３には、周波数軸上でのみ相対位置が小さいリソースが割り当てられる。このとき、リソース割り当ては、例えば図９のようになる。【００４３】
以上により、伝搬路変動の大きい端末における伝搬路推定精度の向上が実現できる。
【図１】
0004831535.tif 000002
【図２】
0004831535.tif 000003
【図３】
0004831535.tif 000004
【図４】
0004831535.tif 000005
【図５】
0004831535.tif 000006
【図６】
0004831535.tif 000007
【図７】
0004831535.tif 000008
【図８】
0004831535.tif 000009
【図９】
0004831535.tif 000010